(57)【要約】【課題】ＩＰネットワークシステムにおいて、緊急時に、移動端末装置のモビリティおよび通信のセキュリティを要求レベルに応じて維持しつつリアルタイムな端末間の接続を実現すること。【解決手段】ＩＰネットワークのローカルエリア内のゲートにおいて、監視部１５２は、同じローカルエリアに在圏しかつ異なるローカルエリアをホームエリアとして有するモバイルノード（ＭＮ）からＭＮのホームエージェント（ＨＡ）に送信されるパケット、およびＭＮのホームアドレスに送信されるパケットのいずれかを監視する。検出部１５１は、ＨＡとの接続の切断を検出する。緊急制御部１５３は、検出部１５１により接続の切断が検出されかつ監視部１５２により前述のいずれかのパケットが確認された場合に、ＨＡから独立にＭＮとそのコレスポンデントノードとの接続を確立させる緊急制御を行う。【選択図】図１
2008042415.tif 000002
【特許請求の範囲】
【請求項１】
ＩＰ（Internet Protocol）ネットワークのローカルエリア内の通信装置であって、
前記ローカルエリアに在圏しかつ異なるローカルエリアをホームエリアとして有するモバイルノードから前記モバイルノードのホームエージェントに送信されるパケット、および前記モバイルノードのホームアドレスに送信されるパケットのいずれかを監視する監視手段と、
前記ホームエージェントとの接続の切断を検出する検出手段と、
前記検出手段により接続の切断が検出されかつ前記監視手段により前記いずれかのパケットが確認された場合に、前記ホームエージェントから独立に前記モバイルノードとそのコレスポンデントノードとの接続を確立させる緊急制御を行う緊急制御手段と、
を有することを特徴とする通信装置。
【請求項２】
前記緊急制御手段は、
前記ローカルエリアのローカルネットワークに対して、アドレス体系の変更を要求して、アドレス解決プロトコルテーブルの更新を要求する、
ことを特徴とする請求項１記載の通信装置。
【請求項３】
前記検出手段は、前記ホームエージェントとの接続の回復をさらに検出し、
前記緊急制御手段は、
前記検出手段により接続の回復が検出されたとき、前記ホームエージェントから独立に確立された接続を終了する、
ことを特徴とする請求項１記載の通信装置。
【請求項４】
前記緊急制御手段は、
前記コレスポンデントノードの属性に応じて、前記ホームエージェントから独立に確立された接続の持続時間およびセキュリティレベルを設定する、
ことを特徴とする請求項１記載の通信装置。
【請求項５】
ＩＰネットワークにおいてモバイルノードとして用いられる通信装置であって、
前記通信装置がホームエリアと異なるローカルエリアに在圏しているときにホームエージェントにパケットを送信する送信手段と、
送信されたパケットに対して、前記ローカルエリア内の他の通信装置から、緊急制御についての通知を受信する受信手段と、
受信された通知に従って、前記ホームエージェントから独立にコレスポンデントノードとの接続を確立する確立手段と、
を有することを特徴とする通信装置。
【請求項６】
前記確立手段は、
前記通信装置が前記ローカルエリアに移動したときに取得される気付アドレスの代わりに緊急用アドレスを用いて、前記コレスポンデントノードとの接続を確立する、
ことを特徴とする請求項５記載の通信装置。
【請求項７】
ＩＰネットワークのローカルエリア内の通信装置における通信方法であって、
前記ローカルエリアに在圏しかつ異なるローカルエリアをホームエリアとして有するモバイルノードから前記モバイルノードのホームエージェントに送信されるパケット、および前記モバイルノードのホームアドレスに送信されるパケットのいずれかを監視する監視ステップと、
前記ホームエージェントとの接続の切断を検出する検出ステップと、
前記検出ステップで接続の切断が検出されかつ前記監視ステップで前記いずれかのパケットが確認された場合に、前記ホームエージェントから独立に前記モバイルノードとそのコレスポンデントノードとの接続を確立させる緊急制御を行う緊急制御ステップと、
を有することを特徴とする通信方法。
【請求項８】
ＩＰネットワークにおいてモバイルノードとして用いられる通信装置における通信方法であって、
前記通信装置がホームエリアと異なるローカルエリアに在圏しているときにホームエージェントにパケットを送信する送信ステップと、
送信されたパケットに対して、前記ローカルエリア内の他の通信装置から、緊急制御についての通知を受信する受信ステップと、
受信された通知に従って、前記ホームエージェントから独立にコレスポンデントノードとの接続を確立する確立ステップと、
を有することを特徴とする通信方法。
【発明の詳細な説明】
【技術分野】
【０００１】
本発明は、通信装置および通信方法に関し、特に、同一ＬＡＮ（Local Area Network）内または異なるＬＡＮ間の機器接続およびトラフィックをホームエージェントなどにより管理するＩＰネットワークシステム内の、通信装置および通信方法に関する。
【背景技術】
【０００２】
近年、ＩＰ（Internet Protocol）の活用範囲は拡大し、有線通信のみならず、例えば無線ＬＡＮに代表される無線通信にも活用されている。また、その活用範囲は、屋内での通信に限られず、屋外かつ広範囲での通信にも及んでいる。無線を使用するＩＰネットワークシステムにおいては、その移動性および利便性が注目され、現在までに様々な方式が検討されている。また、通信速度の高速化が進んでいることもあり、モバイルＩＰまたはＮＥＭＯ（Network Mobility）などの技術に基づいたＩＰ接続性維持によるユビキタスネットワークの実現が進められている。
【０００３】
一般に、ＩＰネットワークシステムにおいては、その通信のセキュリティを維持するため、また、通信端末装置のモビリティをサポートするため、各種のエージェントサーバが用いられる（例えば非特許文献１参照）。以下、その一例について、図６から図９を用いて説明する。
【０００４】
図６のＩＰネットワークシステムは、ホームエリアに対応するローカルネットワークであるホームネットワーク１１０と、異なるローカルエリア１、２にそれぞれ対応するローカルネットワーク１２０、１３０と、公衆用途などの大規模ネットワーク１４０とを含んでいる。ホームネットワーク１１０には、ホームエージェント（ＨＡ）１１１と、ゲート１１２とが含まれている。ローカルネットワーク１２０には、アクセスルータ（ＡＲ）１２１と、ゲート１２２と、コレスポンデントノード（ＣＮ）１２３と、モバイルノード（ＭＮ）１２４とが含まれている。ローカルネットワーク１３０には、ＡＲ１３１と、ゲート１３２と、ＣＮ１３３とが含まれている。
【０００５】
ＭＮ１２４は、ホームアドレス（ＨｏＡ）によって到達可能なまま、あるリンクから別のリンクへの接続点を変えることができる通信装置である。ＡＲ１２１、１３１は、ＭＮ１２４との間で無線信号の送受信を行い、ＭＮ１２４にアドレスおよびサブネットプレフィックスなどの情報を通知する。ＣＮ１２３、１３３は、ＭＮ１２４の通信相手となる通信装置（モバイルノードまたは固定ノード）である。ＨＡ１１１は、ＭＮ１２４がホームエリアから離れているときにホームリンク上のＭＮ１２４宛のパケットを傍受（intercept）して、現在登録されているＭＮ１２４の気付アドレス（ＣｏＡ）を使用したトンネリングにより送信する。ゲート１１２、１２２、１３２はそれぞれ、対応するローカルネットワークと大規模ネットワーク１４０との境界にてパケットの中継を行う通信装置である。
【０００６】
図７に示すように、ＭＮ１２４は、ローカルエリア２からローカルエリア１に移動したとき、ＡＲ１２１からアドレス情報を受信して、その情報から新しいＣｏＡを生成または取得する（ステップＳ１１）。そして、ＭＮ１２４は、ＭＮ１２４のＨｏＡと生成または取得したＣｏＡとを通知するためのバインディングアップデート（ＢＵ）をＨＡ１１１宛に送信する（ステップＳ１２）。ＨＡ１１１は、ＢＵを受信すると、ＢＵに含まれるＨｏＡとＣｏＡとを関連付けるエントリを、バインディングキャッシュ（ＢＣ）に新規に登録する。あるいは、ＢＣに既に登録されているＭＮ１２４についてのエントリを、受信したＢＵに示されたＣｏＡにより更新する。
【０００７】
そして、ＨＡ１１１は、登録されているＭＮ１２４のＨｏＡ宛のパケットが例えばＣＮ１２３から送信されると（ステップＳ１３）、これを傍受して、ＩＰ−ＩＰトンネリングを用いてＭＮ１２４のＣｏＡ宛に送信する（ステップＳ１４）。ＭＮ１２４は、パケットを受信すると、カプセル解除を行い、ＭＮ１２４のＨｏＡ宛のパケットを取り出して上位層に渡す。
【０００８】
このような通信の初期段階には、「なりすまし」と呼ばれる、登録外のユーザによるネットワークへの乗り入れの可能性がある。よって、ＩＰネットワークシステムでは、なりすましを排除するために、リターンルータビリティと呼ばれる処理を行うことがある。
【０００９】
図８および図９は、リターンルータビリティの処理例を示す図である。このリターンルータビリティにおいて、まず、ＭＮ１２４は、ホームテストクッキー（ＨｏＴ  ｃｏｏｋｉｅ）が含まれるホームテスト開始（ＨｏＴＩ：Home Test Init）メッセージを、ＨＡ１１１経由でＣＮ１２３に送信する（ステップＳ２１）。なお、ＣＮ１２３は、ノードキーＫｃｎおよびナンス（ｎｏｎｃｅ）を有する。また、ＭＮ１２４は、気付テストクッキー（ＣｏＴ  Ｃｏｏｋｉｅ）が含まれる気付テスト開始（ＣｏＴＩ：Care-of Test Init）メッセージを、直接ＣＮ１２３に送信する（ステップＳ２２）。ここで、「直接」とは、ＨＡ１１１を経由しないことを意味する。
【００１０】
ＣＮ１２３は、ＨｏＴＩメッセージを受信すると、ホームクッキーと、ホーム鍵生成トークンと、ホームナンスインデックスとが含まれるホームテスト（ＨｏＴ）メッセージを、ＨＡ１１１経由でＭＮ１２４に送信する（ステップＳ２３）。また、ＣＮ１２３は、ＣｏＩＴメッセージを受信すると、気付クッキーと、気付鍵生成トークンと、気付ナンスインデックスとが含まれる気付テスト（ＣｏＴ）メッセージを、直接ＭＮ１２４に送信する（ステップＳ２４）。
【００１１】
ＭＮ１２４は、ＨｏＴメッセージおよびＣｏＴメッセージを受信すると、ＣＮ１２３と共通の共通鍵Ｋｂｍを生成し、この共通鍵Ｋｂｍによる署名を付けてＢＵを直接ＣＮ１２３に送信する（ステップＳ２５）。ＣＮ１２３は、ＢＵを受信すると、ＢＵの署名の値と、ＣＮ１２３が生成した値とを比較し、これらが一致した場合にはＢＵを受け付けて、バインディング承認応答（ＢＡ：Binding Acknowledgement）を直接ＭＮ１２４に送信する（ステップＳ２６）。このようにして、ＢＵを保護し、なりすましを排除することができる。
【非特許文献１】ＩＥＴＦ：ＲＦＣ３３４４
【発明の開示】
【発明が解決しようとする課題】
【００１２】
しかしながら、上記従来のＩＰネットワークシステムにおいては、接続する装置間の接続は常に、ＨＡの管理に依存する。このため、緊急時に、例えば、ＭＮのホームネットワークが災害や何らかの障害などの理由で他のローカルネットワークと接続不能となった場合に、ＭＮが起動または移動後にＨＡにＢＵを送信しても、ＨＡはこれを受信できないため新しいＣｏＡはＢＣに登録されない。このような事態が生じると、たとえＭＮの通信相手がＭＮと同じローカルエリアに在圏しているＣＮであったとしても、ＭＮはＣＮと通信することができないという問題があった。
【００１３】
本発明は、かかる点に鑑みてなされたもので、ＩＰネットワークシステムにおいて、緊急時に、移動端末装置のモビリティおよび通信のセキュリティを維持しつつリアルタイムな端末間の接続を実現することができる通信装置および通信方法を提供することを目的とする。
【課題を解決するための手段】
【００１４】
本発明の通信装置は、ＩＰネットワークのローカルエリア内の通信装置であって、前記ローカルエリアに在圏しかつ異なるローカルエリアをホームエリアとして有するモバイルノードから前記モバイルノードのホームエージェントに送信されるパケット、および前記モバイルノードのホームアドレスに送信されるパケットのいずれかを監視する監視手段と、前記ホームエージェントとの接続の切断を検出する検出手段と、前記検出手段により接続の切断が検出されかつ前記監視手段により前記いずれかのパケットが確認された場合に、前記ホームエージェントから独立に前記モバイルノードとそのコレスポンデントノードとの接続を確立させる緊急制御を行う緊急制御手段と、を有する構成を採る。
【００１５】
本発明の通信装置は、ＩＰネットワークにおいてモバイルノードとして用いられる通信装置であって、前記通信装置がホームエリアと異なるローカルエリアに在圏しているときにホームエージェントにパケットを送信する送信手段と、送信されたパケットに対して、前記ローカルエリア内の他の通信装置から、緊急制御についての通知を受信する受信手段と、受信された通知に従って、前記ホームエージェントから独立にコレスポンデントノードとの接続を確立する確立手段と、を有する構成を採る。
【００１６】
本発明の通信方法は、ＩＰネットワークのローカルエリア内の通信装置における通信方法であって、前記ローカルエリアに在圏しかつ異なるローカルエリアをホームエリアとして有するモバイルノードから前記モバイルノードのホームエージェントに送信されるパケット、および前記モバイルノードのホームアドレスに送信されるパケットのいずれかを監視する監視ステップと、前記ホームエージェントとの接続の切断を検出する検出ステップと、前記検出ステップで接続の切断が検出されかつ前記監視ステップで前記いずれかのパケットが確認された場合に、前記ホームエージェントから独立に前記モバイルノードとそのコレスポンデントノードとの接続を確立させる緊急制御を行う緊急制御ステップと、を有するようにした。
【００１７】
本発明の通信方法は、ＩＰネットワークにおいてモバイルノードとして用いられる通信装置における通信方法であって、前記通信装置がホームエリアと異なるローカルエリアに在圏しているときにホームエージェントにパケットを送信する送信ステップと、送信されたパケットに対して、前記ローカルエリア内の他の通信装置から、緊急制御についての通知を受信する受信ステップと、受信された通知に従って、前記ホームエージェントから独立にコレスポンデントノードとの接続を確立する確立ステップと、を有するようにした。
【発明の効果】
【００１８】
本発明によれば、ＩＰネットワークシステムにおいて、緊急時に、移動端末装置のモビリティおよび通信のセキュリティを要求レベルに応じて維持しつつリアルタイムな端末間の接続を実現することができる。
【発明を実施するための最良の形態】
【００１９】
以下、本発明の実施の形態について、図面を用いて詳細に説明する。
【００２０】
図１は、本発明の一実施の形態に係るＩＰネットワークシステム内のゲートの構成を示すブロック図である。本ゲートは、ゲート１１２、１２２、１３２と同様に、ＩＰネットワークシステムのローカルエリアに在圏し、対応するローカルネットワークと公衆用途などの大規模ネットワーク１４０との境界にてパケットの中継を行う通信装置である。また、本ゲートは、検出部１５１、監視部１５２および緊急制御部１５３を有する。
【００２１】
検出部１５１は、ＭＮのＨＡとの接続の切断を検出する。ここで、ＭＮは、本ゲートと同じローカルエリアに在圏しており、このローカルエリアは、ＭＮのホームエリアとは異なる。監視部１５２は、ＭＮからＨＡに送信されるパケット（例えば、ＭＮからＨＡ経由でＣＮ宛てに送信されるＨｏＴＩメッセージ）、およびＣＮからＭＮのＨｏＡ宛に送信されるパケットのいずれかを監視する。緊急制御部１５３は、検出部１５１によりＨＡとの接続の切断が検出されかつ監視部１５２により前述したいずれかのパケットの送信が確認されたとき、ＨＡから独立にＭＮとＣＮとの接続を確立させる緊急制御を行う。なお、図示していないが、本ゲートは、上記構成以外にも、ゲート１１２、１２２、１３２と同様のパケット中継機能のすべてを実現する構成を有する。
【００２２】
また、図２は、本発明の一実施の形態に係るＩＰネットワークシステム内のＭＮの構成を示すブロック図である。本ＭＮは、ＭＮ１２４と同様に、ＨｏＡによって到達可能なまま、あるリンクから別のリンクへの接続点を変えることができる通信装置である。また、本ＭＮは、アンテナ１６１、送受信部１６２および緊急接続確立部１６３を有する。
【００２３】
送受信部１６２は、アンテナ１６１を用いてパケットを送受信する。より具体的には、送受信部１６２は、本ＭＮがホームエリアと異なるローカルエリアに在圏しているときに、例えばＨｏＴＩメッセージなどのパケットをＨＡ経由でＣＮ宛に送信する。また、送受信部１６２は、同じローカルエリア内の他の通信装置、例えば前述したゲートから、緊急制御についての通知を受信する。緊急接続確立部１６３は、受信された緊急制御についての通知に従って、ＨＡから独立にＣＮとの接続を確立する緊急接続確立を行う。なお、図示していないが、本ＭＮは、上記構成以外にも、ＭＮ１２４と同様のパケット送受信機能のすべてを実現する構成を有する。
【００２４】
次いで、上記構成を有するゲートとＭＮとを含むＩＰネットワークシステム内の動作例について、図３を用いて説明する。ここでは、便宜上、本実施の形態に係るゲートの構成をゲート１２２に、本実施の形態に係るＭＮの構成をＭＮ１２４に、それぞれ適用した場合を例にとり、緊急制御および緊急接続確立の動作について説明する。
【００２５】
ステップＳ１０１では、ゲート１２２の検出部１５１が、例えばｐｉｎｇコマンドのような、ネットワークトラフィックに負荷をかけない小さなパケットを用いて、ＨＡ１１１との接続を例えば周期的に検出する。例えば、ＨＡ１１１が災害や何らかの障害などの理由でゲート１２２と通信できない状態となった場合は、この検出処理により、ＨＡ１１１との接続の切断が検出される。
【００２６】
ステップＳ１０２では、ゲート１２２の監視部１５２が、ＭＮ１２４からＨＡ１１１経由でＣＮ１２３宛に送信されるＨｏＴＩメッセージを監視する。
【００２７】
ＨＡ１１１との接続が切断している間にＭＮ１２４からのＨｏＴＩメッセージの送信が確認された場合は、ステップＳ１０３、Ｓ１０４では、ゲート１２２の緊急制御部１５３が、緊急制御を行う。
【００２８】
より具体的には、ステップＳ１０３では、緊急制御部１５３は、ＭＮ１２４のアドレスを緊急時の予約アドレスに設定する。以下、緊急時の予約アドレスを緊急用アドレス（ＥＡ：Emergency Address）という。また、緊急制御部１５３は、ＣＮ１２３が通信するべきＭＮ１２４のアドレスをＥＡに設定する。そして、緊急制御部１５３は、ＭＮ１２４およびＣＮ１２３に対して、この設定を示す緊急アドレスリリース要求を送信することにより、ローカルネットワーク１２０に対してアドレス体系の変更などの手段を指示する。ＭＮ１２４の送受信部１６２、およびＣＮ１２３はそれぞれ、緊急アドレスリリース要求を緊急制御についての通知として受信し、これに応じて緊急用アドレスを取得する。
【００２９】
そして、ステップＳ１０４では、緊急制御部１５３は、ＭＮ１２４およびＣＮ１２３に対して、ＡＲＰ（Address Resolution Protocol）テーブル更新要求を送信する。通常、ローカルネットワーク１２０のアドレス体系は、複数のＭＮの存在を想定したものであるため、複数のハードウェアアドレスに同一のＩＰアドレスが付与されるという不整合が発生する可能性を排除する必要がある。よって、緊急制御部１５３は、ＡＲＰテーブル更新を一度実施することにより、緊急用アドレスでの通信を指示する。ＭＮ１２４の送受信部１６２、およびＣＮ１２３はそれぞれ、ＡＲＰテーブル更新要求を緊急制御についての通知として受信し、これに応じてＡＲＰテーブルの更新を行う。
【００３０】
ステップＳ１０３、Ｓ１０４での一連の処理により、ＭＮ１２４の緊急接続確立部１６３は、ＨＡ１１１から独立にＣＮ１２３との接続の確立を完了する。
【００３１】
ここで、緊急制御によりＨＡ１１１から独立に確立された接続に対して、その持続時間または通信セキュリティのレベルを、ＣＮ１２３の属性に応じて可変設定することができる。
【００３２】
そして、ステップＳ１０５では、ＭＮ１２４およびＣＮ１２３が、直接通信によりパケット通信を行う。以上のようにして緊急制御および緊急接続確立が行われる。
【００３３】
また、ゲート１２２の検出部１５１は、前述したようにｐｉｎｇコマンドなどを用いて検出処理を定期的に実行することにより、ＨＡ１１１との接続の回復を検出することもできる。この場合、ゲートの１２２の緊急制御部１５３は、ＨＡ１１１から独立に確立されたＭＮ１２４とＣＮ１２３との接続を終了しＭＮ１２４を平常時のネットワークに復帰させる処理を行う。
【００３４】
また、ＭＮ１２４は、緊急制御によりＨＡ１１１から独立した接続が確立されたまま、他のローカルエリアに移動した場合、従来と同様の初期手順により、自動的に平常時のネットワークに復帰することができる。
【００３５】
次いで、平常時に使用されるトラフィックルートおよびアドレスの例と、非常時（緊急時）に使用されるトラフィックルートおよびアドレスの例とについて図４および図５を用いて説明する。
【００３６】
図４は、平常時の例を示す。平常時では、ＭＮ１２４のＨｏＡ（ＨｏＡ１）が送信先として示されかつＣＮ１２３のアドレスが送信元として示されたヘッダを有するパケットが送信される。このパケットはゲート１２２により中継され、そしてＨＡ１１１により傍受される。ＨＡ１１１は、ＢＣを参照して、ＭＮ１２４のＣｏＡ（ＣｏＡ１）を送信先として示しかつＨＡ１１１のアドレスが送信元として示されたヘッダを、傍受したパケットに付与してから転送する。このパケットはゲート１２２により中継され、そしてＭＮ１２４により受信される。
【００３７】
図５は、非常時の例を示す。非常時では、図３を用いて説明したように、ゲート１２２からＣＮ１２３およびＭＮ１２４に対して、緊急アドレスリリース要求およびＡＲＰテーブル更新要求が送信され、緊急時のネットワーク接続、すなわちＨＡ１１１から独立したＣＮ１２３とＭＮ１２４との接続が確立される。これにより、ＣＮ１２３からは、緊急用アドレス（ＥＡ）が送信先として示されかつＣＮ１２３のアドレスが送信元として示されたヘッダを有するパケットが送信される。このパケットはＭＮ１２４に直接受信される。一方、ＭＮ１２４からは、ＣＮ１２３のアドレスが送信先として示されかつ緊急用アドレスが送信元として示されたヘッダを有するパケットが送信される。このパケットはＣＮ１２３に直接受信される。
【００３８】
以上のように、本実施の形態によれば、ＩＰネットワークシステムにおいて、緊急時に、移動端末装置のモビリティおよび通信のセキュリティを要求レベルに応じて維持しつつリアルタイムな端末間の接続を実現することができる。
【００３９】
本実施の形態に係るＩＰネットワークシステムは、複数の拠点にまたがって管理を要求される地理的に非常に広域なネットワークに適用すると、特に有利である。その一例として、バス会社のような組織の、運転手による車両の運転を支援するシステムが挙げられる。この運転支援システムに本実施の形態のシステムを導入すると、モバイルノードを搭載した車両は、ホームエージェントとの接続が何らかの理由により切断されたとしても、常時、サブネット圏内の端末とのＩＰ通信を維持することができる。また、他の例としては、鉄道会社のような組織の、運転手による駅構内の安全確認を支援するシステムが挙げられる。このシステムに本実施の形態のシステムを導入すると、モバイルノードを搭載した電車は、ホームエージェントとの接続が何らかの理由により切断されたとしても、コレスポンデントノードとしてのカメラからプラットホームの映像を常時ＩＰ通信により受信することができ、運転中の運転手は、電車の中にいながらプラットホームの映像をリアルタイムで視認することができる。
【００４０】
以上、本発明の一実施の形態について説明した。ただし、以上の説明は本発明の好適な実施の形態の例証であり、本発明の範囲はこれに限定されない。つまり、上記実施の形態において説明した構成や用途などは一例であり、本発明の範囲においてこれらの例に対する様々な変更および修正が可能であることは明らかである。
【産業上の利用可能性】
【００４１】
本発明の通信装置および通信方法は、緊急時に、移動端末装置のモビリティおよび通信のセキュリティを維持しつつリアルタイムな端末間の接続を実現する効果を有し、同一ＬＡＮ内または異なるＬＡＮ間の機器接続およびトラフィックをホームエージェントなどにより管理するＩＰネットワークシステムにおいて有用である。
【図面の簡単な説明】
【００４２】
【図１】本発明の一実施の形態に係るゲートの構成を示すブロック図
【図２】本発明の一実施の形態に係るモバイルノードの構成を示すブロック図
【図３】本発明の一実施の形態に係るＩＰネットワークシステム内の緊急制御機構を示す図
【図４】本発明の一実施の形態に係るＩＰネットワークシステム内の、平常時のトラフィックルートおよびアドレスの例を示す図
【図５】本発明の一実施の形態に係るＩＰネットワークシステム内の、緊急時のトラフィックルートおよびアドレスの例を示す図
【図６】一般的なＩＰネットワークシステムの構成を示す図
【図７】図６のＩＰネットワークシステム内の動作を示す図
【図８】図６のＩＰネットワークシステム内のリターンルータビリティの処理例を示す図
【図９】図８のリターンルータビリティの処理例を別の観点から示す図
【符号の説明】
【００４３】
１１１  ホームエージェント
１１２、１２２、１３２  ゲート
１２１、１３１  アクセスルータ
１２３、１３３  コレスポンデントノード
１２４  モバイルノード
【図１】
2008042415.tif 000003
【図２】
2008042415.tif 000004
【図３】
2008042415.tif 000005
【図４】
2008042415.tif 000006
【図５】
2008042415.tif 000007
【図６】
2008042415.tif 000008
【図７】
2008042415.tif 000009
【図８】
2008042415.tif 000010
【図９】
2008042415.tif 000011